【誤訳訂正書】
【提出日】平成18年4月27日(2006.4.27)
【誤訳訂正１】
【訂正対象書類名】特許請求の範囲
【訂正対象項目名】全文
【訂正方法】変更
【訂正の内容】
【特許請求の範囲】
【請求項１】
点灯期間長に比例する重みを各々が有しその期間中に基本放電セルがオン又はオフの何れかである複数のサブスキャンによって各ビデオ画像を符号化する、複数の基本放電セルを含むディスプレイパネルに、ビデオ画像を表示する方法であって、各ビデオ画像について：
−前記複数のサブスキャンが２つの連続したサブスキャンのグループに分割され、該２つのグループは時間的な分布が対称である各重みを有する同数のサブスキャンを有し；
−先行する画像に対する表示すべき前記ビデオ画像の動きを推定し、該ビデオ画像の各ピクセルについての動きベクトルを生成し；
−前記ビデオ画像の各ピクセルについて、前記第二グループのサブスキャンを、推定された前記動きベクトルの半分に略等しい量移動する
各段階が実行されることを特徴とする方法。
【請求項２】
前記第一グループの前記サブスキャンは重みの増加する順番で配置され、前記第二グループの前記サブスキャンは重みの減少の順番で配置されることを特徴とする請求項１に記載の方法。
【請求項３】
請求項１又は２の何れかの前記表示方法を実行する装置を含むことを特徴とするプラズマディスプレイパネル。
【誤訳訂正２】
【訂正対象書類名】明細書
【訂正対象項目名】全文
【訂正方法】変更
【訂正の内容】
【発明の詳細な説明】
【発明の名称】プラズマディスプレイパネルへのビデオ画像表示方法、及び対応するプラズマディスプレイパネル
【技術分野】
【０００１】
本発明は、プラズマディスプレイパネルにビデオ画像を表示する方法に関する。より一般的には、本発明は、オン状態又はオフ状態の何れかにある基本放電セルのマトリックスからなる表示装置に適用される。
【背景技術】
【０００２】
プラズマディスプレイパネル（ＰＤＰｓ）技術によって、大型のフラットディスプレイスクリーンを得ることができる。ＰＤＰｓは、一般的に、ガスが充填した空間を画定する２つの絶縁タイルを含み、その空間において、隔壁により境界づけされた基本空間が画定される。１つの基本放電セルが１つの基本空間に対応し、その基本空間の両側には少なくとも一つの電極が設けられる。基本放電セルを活性化するために、放電セルの電極間に電圧を印加して、対応する基本空間中に電気放電を生成する。この電気放電により、基本放電セルにおける紫外線の放射を引き起こす。放電セルの壁に設けられた蛍光体が、紫外線を可視光に変換する。
【０００３】
ＰＤＰの基本放電セルの動作期間は、ビデオ画像の表示期間に一致する。各表示期間は、サブスキャンと一般に呼ばれる基本期間から構成される。各サブスキャンは、セル・アドレス期間と維持期間とからなる。アドレス期間は、基本放電セルをオン状態又はオフ状態の何れに設定するかに応じて、基本放電セルに電気パルスを送り込む又は送り込まない動作からなる。維持期間は、オン状態又はオフ状態に放電セルを維持するために、所定の期間、一連のパルスを供給する動作からなる。各サブスキャンは、それぞれ固有の維持期間長と、その維持期間長に依存する重みを有する。複数の維持期間が、表示期間全体にわたって分配されており、放電セルの点灯期間に対応する。人間の視覚によりこれら点灯期間が積分され、対応する階調が再現される。画像の表示期間を、以下においては、時間的積分ウィンドウと呼ぶ。
【０００４】
点灯期間の時間的積分に関して幾つか問題がある。輪郭の問題が、特に対象物が２つの連続画像間で移動する際に発生する。この問題は、通常は殆ど感知できないような階調変化における暗め又は明るめのバンドの出現という形で現れる。カラーＰＤＰｓの場合、これらのバンドは色つきで現れる可能性がある。
【０００５】
この輪郭の問題が図１に示される。図１は、階調（グレーレベル）１２７と階調１２８との間の変化点を有する２つの連続画像Ｉ及びＩ＋１について、サブスキャンを示す。この変化点は、画像ＩとＩ＋１との間で、４ピクセル分移動している。この図において、ｙ軸は時間軸を表し、ｘ軸は各画像の各ピクセルを表す。目が移動物体を追う傾向を有するので、目による積分効果は、図示される斜線に沿った時間上の積分となる。したがって、異なるピクセルからの情報を積分することになる。積分の結果として、階調１２７と１２８との間の変化の瞬間において、ゼロに等しい階調が出現する。このゼロ階調を通る径路により、変化点において暗いバンドが現れる。反対に、変化がレベル１２８からレベル１２７へと起こる場合、明るいバンドに対応するレベル２５５が変化の瞬間に現れる。
【０００６】
第一の解決策は、積分誤差を軽減するために、大きな重みのサブスキャンを“分割する”ことである。図２は図１と同一の変化を示すが、重み３２、６４及び１２８の３つのサブスキャンに代わって重み３２の７つのサブスキャンを備える。この場合、最大積分誤差は階調値３２である。階調を異なるように分配することも可能であるが、常に積分誤差は存在する。
【０００７】
欧州特許出願第０９７８８１７号に示されるこの問題に対する別の解決策は、目が正しい情報を積分するように移動方向にサブスキャンをシフトすることによって、目による積分動作を予測した処理をする点にある。この技術においては、表示される画像の各ピクセルの動きベクトルを計算するために、動き推定器を用いる。それらの動きベクトルは、ＰＤＰの基本放電セルに供給するデータを修正するために用いられる。欧州特許出願第０９７８８１７号の基本的な考え方によれば、画像表示中の目の動きを検出し、動き補償されたデータを放電セルに供給することで、目が正しい情報を積分するようにする。この技術が図３に示される。前述のように、この修正においては、画像間で現れる動きに応じて空間的にサブスキャンを移動させ、人間の視覚の積分動作を予測した処理をする。サブスキャンは、それぞれの重みと時間的積分ウィンドウにおける時間位置とに応じて、異なるように移動される。このような修正により、輪郭効果を引き起こす変化点において、最良の結果が得られる。
【発明の開示】
【発明が解決しようとする課題】
【０００８】
本発明は、動き補償を用いて輪郭効果を補償する別の手法を提供する。
【課題を解決するための手段】
【０００９】
本発明は、点灯期間長に比例する重みを各々が有しその期間中に基本放電セルがオン又はオフの何れかである複数のサブスキャンによって各ビデオ画像を符号化する、複数の基本放電セルを含むディスプレイパネルに、ビデオ画像を表示する方法に関する。各ビデオ画像について、以下の段階が実行される：−前記複数のサブスキャンが２つの連続したサブスキャンのグループに分割され、該２つのグループは時間的な分布が対称である各重みを有する同数のサブスキャンを有し；−先行する画像に対する表示すべき前記ビデオ画像の動きを推定し、該ビデオ画像の各ピクセルについての動きベクトルを生成し；−前記ビデオ画像の各ピクセルについて、前記第二グループのサブスキャンを、推定された前記動きベクトルの半分に略等しい量移動する。
【００１０】
本発明はまた、本発明のビデオ画像表示方法を実行する装置を有する、プラズマディスプレイパネルに関する。
【発明を実施するための最良の形態】
【００１１】
本発明のさらなる特徴及び利点は、添付図を参照し、下記の詳細な記載によって明白になるであろう。
【００１２】
上記説明した図１乃至３については以下において詳細に説明しない。
【００１３】
本発明によると、表示される画像の時間的積分ウィンドウにおいてサブスキャンが対称に配置され、サブスキャンの半分は、サブスキャンのもう一方の半分によって生成される輪郭欠陥を打ち消すために、空間的にシフトされる。ある特定のサブスキャンの配置は、そのサブスキャン配置に特有の欠陥を生じる。その特定のサブスキャン配置を時間的に反転した場合、その欠陥は空間的に反転される。一方がもう一方の対称型に一致するような２つの連続グループを表示する場合、２つのグループが欠陥を引き起こす方向に沿って整列している限りにおいて、その表示が補償される。理解と実現を容易にするために、互いに対称的な２つのグループに分割できるピラミッド型コードと呼ばれるコードを使用することが好ましい。ピラミッド型コードは、画像表示（又は積分）期間にわたって、その重みが増加しその後対称的に減少するコードとして定義される。
【００１４】
図４は、一方でサブスキャンが重みの増加する順番（図４の左側）で配置され、他方で重みが減少する順番（図４の右側）で配置された場合の時間的積分の結果を示す。
【００１５】
このようにするために、本発明はピラミッド型の順番で配置されるサブスキャンを提供する、つまり、サブスキャンは、数量と重みとの両方が同一であるサブスキャンの２つのグループに分割され、第一グループではそのサブスキャンが重みの増加する順番で配置され、第一グループに続く第二グループではそのサブスキャンが重みの減少する順番で配置される。そのようなサブスキャンの分割が、図５に示される。図５において、２つの同一グループに分割され、ＳＳ１乃至ＳＳ１４として示される１４のサブスキャンを用いて画像が表示される。第一グループはＳＳ１乃至ＳＳ７のサブスキャンを有し、第二グループはＳＳ８乃至ＳＳ１４のサブスキャンを有する。サブスキャンＳＳ１、ＳＳ２、ＳＳ３、ＳＳ４、ＳＳ５、ＳＳ６及びＳＳ７は、サブスキャンＳＳ１４、ＳＳ１３、ＳＳ１２、ＳＳ１１、ＳＳ１０、ＳＳ９及びＳＳ８とそれぞれ同一である。サブスキャンのかかる配置は対称的である。同様に、ピクセルは対称的に有利に表示される。すなわち、第一グループのあるピクセルのあるサブスキャンがオンである場合、第二グループの同一重みのサブスキャンもまたオンである。
【００１６】
奇数の階調値の場合、最小の重みのサブスキャンについてのみ不均一であり欠陥が知覚できないような場合であれば、１だけ異なる分割の不均一状態を作り出してよい。或いは、その値のすぐ上又はすぐ下にある偶数値に切り上げ又は切り下げてよい。多数のサブスキャンを設けることが可能である場合には、完全な対称性を実現するために、１／２の重みの２つのサブスキャンを更に用いてよい。
【００１７】
図６は、ピラミッド型の順番で配置されたサブスキャンによって表示される階調Ａ及び階調Ｂの２つの階調間の変化を示す。動きがない場合、このようなサブスキャンの配置により、従来の配置で得られるものと同一の時間的積分が得られる。
【００１８】
動きがある場合には、本発明にしたがって、第二グループのサブスキャンが空間的に移動され、第二グループの輪郭欠陥が第一グループによって引き起こされる輪郭欠陥を打ち消す。以下に、サブスキャンのブロック又はグループ毎の移動について説明する。
【００１９】
これを行うために、先行画像に対する着目ビデオ画像の動きを表す動きベクトルＭを、表示されるビデオ画像の各ピクセルについて計算し、第二グループのサブスキャンを、動きベクトルＭの半分にほぼ等しい量だけ移動する。
【００２０】
図７は、このような第二グループのサブスキャンの移動を示し、本発明による時間的積分の結果を示す。図７において、先行する画像に対して、例えば４ピクセルだけ、階調ＡとＢとの間の変化点が移動するとする。Ｍとして表示されるこの量は、動き推定器によって計算される。本発明によれば、第二グループのサブスキャンＳＳ８乃至ＳＳ１４が、Ｍ／２に等しい量、つまり２ピクセル分、動き方向に移動される。
【００２１】
図７に見られるように、積分誤差は空間的に２分割されるので、動き補償なしの場合には、４ピクセルではなく２ピクセル（Ｍ／２）についてのものとなる。更に、この例において、図４に示される欠陥は、互いに近接して補償し合う小さな振幅の２つの相対する欠陥により置き換えられる。
【００２２】
本発明の方法がどのように適用されるかについての数値例が、図８に示される。この例において、時間的画像積分ウィンドウは、２つのグループに分割され、それぞれの重みが１、２、４、８、１６、３２、６４、６４、３２、１６、８、４、２、１の１４の連続するサブスキャンからなる。第一グループは最初の７つのサブスキャンからなり、第二グループは最後の７つのサブスキャンからなる。この例において、最悪の場合のものとして、階調１２８と階調１２６との間の変化点が、先行画像に対して４ピクセルだけ移動する場合を考慮する。したがって、第二グループのサブスキャンは、動き方向に２ピクセル分移動される。
【００２３】
この例において、最大の積分誤差は階調値±４２（変化点において階調は１７０と８４との間で変化する）となり、最大２ピクセルを含む。しかしながら、欠陥の最大値と最小値との間の空間的距離は１ピクセルだけであり、これを殆ど知覚不能にする効果がある。より大きな動きベクトルの場合には、欠陥は知覚できるようになるが、かなり大きく軽減される。
【００２４】
本方法は更に別の利点を有する。サブスキャンの半分のみが移動され、更には、同一の移動量だけ移動される。表示画像の計算が、各サブスキャンについて移動すべき量を計算する装置と比較して、より簡素化される。この方法はまた、２つの対称な領域に画像の明るさを分配するので、ビデオにおける最も一般的な値である中間的な明るさの値についての大領域フリッカー現象を軽減することができる。
【００２５】
他の実施態様が可能である。一例として、第一及び第二グループの各々を２つの対称なグループに分離し、第一及び第二グループに次々に上記方法を適用してよく、表示画像は４つのグループに分割されて、各グループについて動きが補償される。これにより効果が増大されて、欠陥はより更に軽減される。しかしながら、これは多数のサブスキャンを必要とする。
【００２６】
非常に多くの構造が、本発明の方法を実行するために可能である。一例が図９に示される。画像メモリ１０が、記憶すべき画像ストリームを受け取る。メモリのサイズは、少なくとも３つの連続画像Ｉ−１、Ｉ及びＩ＋１を記憶できるサイズであり、画像Ｉ−１を使用して画像Ｉを処理している間に画像Ｉ＋１が記憶される。例えば信号プロセッサである計算回路１１は、着目画像の各ピクセルに対応する動きベクトルを計算し、上記方法にしたがってサブスキャンをシフトして、イグニッション信号をプラズマタイル１４のロードライバ１２とカラムドライバ１３に供給する。同期回路１５が、ドライバ１２及び１３を同期させるために設けられる。この構造は、単に例示として示されるものである。
【図面の簡単な説明】
【００２７】
【図１】２つの連続画像間で変化点が動く場合に発生する輪郭効果を示す図である。
【図２】輪郭効果を補償する既知の解決策を示す図である。
【図３】輪郭効果を補償する既知の解決策を示す図である。
【図４】本発明によりサブスキャンが配置される場合に目の時間的積分の結果を示す図である。
【図５】サブスキャンがピラミッド型の順番で配置される時間的積分ウィンドウを示す図である。
【図６】ピラミッド型の順番で配置された複数のサブスキャンによりコード化される階調Ａと階調Ｂとの間の変化点を示す図である。
【図７】本発明の方法を示す図である。
【図８】本発明の方法の適用例を示す図である。
【図９】本発明の方法を実施する装置の一例を示す図である。